(57)【要約】【課題】色弱者と一般色覚者とを問わず、ユーザが表示を容易に認識することができる点灯装置を提供する。【解決手段】赤から緑の波長域のうちの第１の波長を主波長とする光を発する第１の発光素子と、青の波長域のうちの第２の波長を主波長とする光を発する第２の発光素子と、第１の発光素子の出射光及び第２の発光素子の出射光を拡散する第１の導光体と、を有する第１の発光装置と、赤から緑の波長域のうちの第１の波長とは異なる第３の波長を主波長とする光を発する第３の発光素子と、第３の発光素子の出射光を拡散する第１の導光体とは異なる第２の導光体と、を有する第２の発光装置と、を備える、ことを特徴とする点灯装置。【選択図】図３
2014186054.tif 000002
【特許請求の範囲】
【請求項１】
赤から緑の波長域のうちの第１の波長を主波長とする光を発する第１の発光素子と、
青の波長域のうちの第２の波長を主波長とする光を発する第２の発光素子と、
前記第１の発光素子の出射光及び前記第２の発光素子の出射光を拡散する第１の導光体と、
を有する第１の発光装置と、
赤から緑の波長域のうちの前記第１の波長とは異なる第３の波長を主波長とする光を発する第３の発光素子と、
前記第３の発光素子の出射光を拡散する前記第１の導光体とは異なる第２の導光体と、
を有する第２の発光装置と、
を備える、
ことを特徴とする点灯装置。
【請求項２】
前記第１の発光素子と前記第２の発光素子とのうちの、一方の発光素子が基板の中央部に配置され、他方の発光素子が前記一方の発光素子の周囲の第１領域に配置される、
ことを特徴とする請求項１に記載の点灯装置。
【請求項３】
前記他方の発光素子が、前記一方の発光素子の周囲に前記一方の発光素子に対して等角度で複数個配置される、
ことを特徴とする請求項２に記載の点灯装置。
【請求項４】
前記第１の導光体は、前記一方の発光素子の出射光を前記第１の発光装置の表示面の中央部に導き、前記他方の発光素子の出射光を当該表示面の中央部の周囲の第２領域に導く、
ことを特徴とする請求項２又は３に記載の点灯装置。
【請求項５】
前記第１の導光体は、光透過部と、下端面が開口している筒部と、当該筒部の外径よりも大きい外径を有する底部と、を備え、
前記筒部の下端には、光を拡散するための拡散部が形成されている、
ことを特徴とする請求項１乃至４のいずれか１項に記載の点灯装置。
【請求項６】
前記第１の発光素子と前記第２の発光素子とのうちのいずれかは、その出射面が前記拡散部に対向する位置に配置されている、
ことを特徴とする請求項５に記載の点灯装置。
【発明の詳細な説明】
【技術分野】
【０００１】
この発明は、点灯装置に関する。
【背景技術】
【０００２】
コピー機、携帯電話、ＡＴＭ（Automated Teller Machine）等の操作画面はカラー化され、電子機器等のランプ表示もカラフルなものが主流である。しかし、これらの表示は、一般色覚者の見え方に基づいて設計されている場合が多く、色覚障害を持ついわゆる色弱者にはその色表示を識別することができずに不便に感じる場合がある。
【０００３】
このような問題を解決するため、ＬＥＤ（Light Emitting Diode）の発光色を、色弱者が認識しやすい色に変更可能とする技術が提案されている（特許文献１参照）。この技術は、スーパーインポーズ表示するためのＬＥＤの発光色を、予め記憶された色弱者が認識することができる色を表す色情報や過去の色調調整結果等を利用して、適切な色に設定するものである。
【先行技術文献】
【特許文献】
【０００４】
【特許文献１】特開２０１０−１２２５１９号公報
【発明の概要】
【発明が解決しようとする課題】
【０００５】
色弱者といわれる人でも、色弱の度合いやタイプによって見え方が異なる。また、色弱者が認識しやすい色が、一般色覚者にとって認識しやすい色であるとはいえない場合が多い。このため、色弱者と一般色覚者とが共に使用する電子機器の場合、使用者は、その電子機器に搭載された発光装置の発光色を自らが認識しやすい色に変更する必要があり、即時に電子機器を使用できない場合がある。
【０００６】
したがって、色弱者と一般色覚者とを問わず、ユーザが表示を容易に認識することができる点灯装置が求められる。
【０００７】
本発明は、このような状況に鑑みてなされたものであり、色弱者と一般色覚者とを問わず、容易に認識することができる点灯装置を提供することを目的とする。
【課題を解決するための手段】
【０００８】
前記目的を果たすため、本発明の点灯装置の一様態は、
赤から緑の波長域のうちの第１の波長を主波長とする光を発する第１の発光素子と、
青の波長域のうちの第２の波長を主波長とする光を発する第２の発光素子と、
前記第１の発光素子の出射光及び前記第２の発光素子の出射光を拡散する第１の導光体と、
を有する第１の発光装置と、
赤から緑の波長域のうちの前記第１の波長とは異なる第３の波長を主波長とする光を発する第３の発光素子と、
前記第３の発光素子の出射光を拡散する前記第１の導光体とは異なる第２の導光体と、
を有する第２の発光装置と、
を備える、ことを特徴とする。
【発明の効果】
【０００９】
本発明によれば、色弱者と一般色覚者とを問わず、ユーザは点灯装置の表示を容易に認識することができる。
【図面の簡単な説明】
【００１０】
【図１】本発明の実施の形態１に係るオペレーションパネルの概観図である。
【図２】（Ａ）〜（Ｃ）は、図１に示すオペレーションパネルに配置された青色発光装置、黄色発光装置の構造を示す図であって、（Ａ）は平面図、（Ｂ）はＩ−Ｉ線での断面図、（Ｃ）は底面図である。
【図３】図１に示すオペレーションパネルに配置された赤色発光装置をＬＥＤの配置構成を示す図である。
【図４】（Ａ）〜（Ｃ）は、図１に示す赤色発光装置の構造を示す図であって、（Ａ）は平面図、（Ｂ）はＩＩ−ＩＩ線での断面図、（Ｃ）は底面図である。
【図５】（Ａ）及び（Ｂ）は導光体に形成された乱反射部の断面図である。
【図６】一般色覚者と色弱者から見た各発光装置の見え方を示す図である。
【図７】ＬＥＤの配置の変形例を示す図である。
【図８】（Ａ）は、ＬＥＤチップの配置の変形例を示す図であり、（Ｂ−１）及び（Ｂ−２）は、変形例に係る発光装置の発光時の見え方を示す図である。
【図９】（Ａ）及び（Ｂ）は、導光体の形状の他の例を示す図である。
【図１０】本発明の実施の形態２に係る発光装置駆動回路のブロック図である。
【図１１】発光モード毎の各ＬＥＤチップのデューティを示す図である。
【図１２】発光表示の変形例を示す図である。
【図１３】赤色と青色を交互に発光する駆動例を示す図である。
【発明を実施するための形態】
【００１１】
以下、本発明の実施の形態に係る点灯装置について、図面を参照しながら詳細に説明する。
【００１２】
（実施の形態１）
まず、本発明の実施の形態に係る点灯装置を、電子機器のオペレーションパネルを例に説明する。
【００１３】
本実施の形態に係るオペレーションパネル１１は、一般色覚者といわゆる色弱者とが共に重要情報を認識しやすいように設計された、カラーユニバーサルデザイン（Color Universal Design: CUD）仕様のものであり、図１に示すように、液晶ディスプレイ（Liquid Crystal Display: LCD）１２と、点灯装置１３と、駆動回路１４と、を備える。
【００１４】
オペレーションパネル１１は、電子機器等が備えるいわゆる操作盤であり、オペレーションパネル上面には、ＧＵＩ（Graphical User Interface）、ＳＵＩ（Solid User Interface）などのユーザインターフェースが搭載され、電子機器の状態を報知すると共に種々の指示を入力する。オペレーションパネル１１は、操作性や視認性を考慮して、電子機器の筐体の表面上部等に設置されている。
【００１５】
液晶ディスプレイ１２は、タッチパネルを備え、オペレーションパネル１１が備えるＧＵＩとして機能するものである。液晶ディスプレイ１２は、入力用の画像を表示し、表示した画像に対するユーザの操作（入力）をタッチパネルにより検出する。液晶ディスプレイ１２は、電子機器の現在の動作状態やエラー発生時のメッセージ等も表示する。
【００１６】
点灯装置１３には、左から、青色発光装置１３ｂ、黄色発光装置１３ｙ、赤色発光装置１３ｒ、の順に３つの発光装置が横並びに配置され、電子機器の動作状態等に応じて、所定の色の発光装置が点灯・点滅等する。各発光装置の点灯・点滅には、一定の情報が割り当てられている。これは、発光装置の色別点灯・点滅表示により、ユーザが遠くからでも電子機器の状態を把握できるように意図したものであり、点灯装置１３は、オペレーションパネル１１のＳＵＩとして機能する。
【００１７】
青色発光装置１３ｂ、黄色発光装置１３ｙには、電源オン、充電中、印刷中、待機中、正常状態や定常状態等、緊急性、重大性を有しない情報が割り当てられている。
一方、赤色発光装置１３ｒには、紙詰まり、トナー切れ等のエラー発生、電源異常等の異常の発生等、緊急性、重大性を有する情報の報知が割り当てられている。
【００１８】
青色発光装置１３ｂについては、一般色覚者や多くの色弱者がその点灯を識別可能である。
【００１９】
一方、異常や警告の報知等の重要性・緊急性を有する情報を報知するための赤色発光装置１３ｒについては、一般色覚者と色弱者とのいずれもが、その識別を誤ると重大な影響を及ぼすおそれがある。
【００２０】
青色発光装置１３ｂは、主波長が４７０ｎｍ程度の青色の可視光を発光するＬＥＤから構成される。
黄色発光装置１３ｙは、主波長が５９０ｎｍ程度の黄色の可視光を発光するＬＥＤから構成される。
【００２１】
青色発光装置１３ｂ、黄色発光装置１３ｙは、何れも、図２（Ａ）〜（Ｃ）に平面図、Ｉ−Ｉ線断面図、下面図で示すように、１つのＬＥＤベアチップ２１を第２の導光体２４内に配置して構成されている。
【００２２】
一方、赤色発光装置１３ｒは、図３及び図４（Ａ）〜（Ｃ）に平面図、ＩＩ−ＩＩ線断面図、下面図で示すように、プリント基板３１上の中央に赤色ＬＥＤチップ３２ｒが配置され、その周辺に４つの青色ＬＥＤチップ３３ｂが赤色ＬＥＤチップ３２ｒに対して等角度で配置され、これらを第１の導光体３４内に配置して構成されている。
【００２３】
赤色ＬＥＤチップ３２ｒは、例えば、主波長が６２５ｎｍ程度の赤色の可視光を発光する発光素子であり、例えば、アルミニウムガリウムヒ素（AlGaAs）系材料が用いられる。
また、青色ＬＥＤチップ３３ｂは、例えば、主波長が４７０ｎｍ程度の青色の可視光を発光する発光素子であり、例えば、インジウム窒化ガリウム（InGaN）系材料が用いられる。
【００２４】
赤色ＬＥＤチップ３２ｒと青色ＬＥＤチップ３３ｂとは、プリント基板３１上に各々実装され、プリント基板３１上の配線を介して外部の点灯回路（図示せず）に接続されている。
【００２５】
プリント基板３１は、例えば、セラミック基板であり、アルミナ又は透過性の窒化アルミニウムから形成される。なお、プリント基板３１は、セラミック基板に限定されず、樹脂基板、ガラス基板、アルミニウム基板等であってもよい。また、可撓性のフレキシブル基板であってもよい。
【００２６】
第１の導光体３４は、ＬＥＤやボンディングワイヤを保護するケースとして機能するとともに、赤色ＬＥＤチップ３２ｒと青色ＬＥＤチップ３３ｂとの出射光を導いて、光を外部に拡散させる機能を有する。そのため、透過性の高いセラミック、アクリル、ポリカーボネート等の透明性樹脂、またはガラス等の材料で形成される。
【００２７】
第１の導光体３４は、図４に示すように、略ドーム状の光透過部４１と、円筒状の筒部４２と、筒部４２の外周下縁が張り出したように成形された底部４３と、を備え、底部側の端面は開口とする。
【００２８】
光透過部４１は、筒部４２の天井部であり、表示面として機能し、赤色ＬＥＤチップ３２ｒの出射光がその中央部を透過し、青色ＬＥＤチップ３３ｂの出射光がその周囲のリング形状の領域（第２領域）を透過する領域である。また、光透過部４１の表面には光拡散効果を増すために、シボ加工を施している。光拡散効果を増す他の方法として、例えば、第１の導光体３４の材料が樹脂の場合には拡散剤を塗布または混入したり、ガラスの場合にはサンドブラスト加工等を施してもよい。
【００２９】
筒部４２は、内部が空洞の筒状の円筒形に形成され、後述する乱反射部４４に入射された青色ＬＥＤチップ３３ｂの出射光を導光して透過する。
【００３０】
底部４３は、筒部４２の外径よりも大きい外径を有するリング形状に形成されている。
【００３１】
筒部４２の下端には、第１の導光体３４の円周方向に連続する凸条と凹溝とから形成されたリング形状の乱反射部４４が設けられている。青色ＬＥＤチップ３３ｂは、乱反射部４４に対向するリング形状の領域（第１領域）に配置され、出射面を乱反射部４４に対向させている。
【００３２】
乱反射部４４の円周方向の拡大断面の例を図５（Ａ）、（Ｂ）に示す。このような凸状凹溝構造により、乱反射部４４に接するように配置された青色ＬＥＤチップ３３ｂからの出射光を反射、屈折させて光透過部４１の外周全体を略均一に青色に発光させる。
【００３３】
第１の導光体３４は、プリント基板３１上のＬＥＤチップ３２ｒ、３３ｂを覆うように載置され、底部４３の底面の外周部分がプリント基板に接着剤で固着される。なお、プリント基板と第１の導光体３４は、係合爪と係合孔とを設けた係合構造により着脱が可能なように固着してもよい。
【００３４】
ＬＥＤチップ３２ｒ、３３ｂは、数１００μｍ角程度のＬＥＤチップを使用し、第１の導光体３４の光透過部４１の直径は、３ｍｍ〜５ｍｍ程度が好ましい。
【００３５】
このような構成により、赤色発光装置１３ｒは、赤色ＬＥＤチップ３２ｒと青色ＬＥＤチップ３３ｂとが単に１つのケースに収容されているのとは異なり、全体として１つの発光装置として機能する。
【００３６】
図１に示す駆動回路１４は、オペレーションパネル１１の内部に配置され、各発光装置１３ｂ、１３ｙ、１３ｒを駆動する。より具体的には、駆動回路１４は、図示せぬ各種センサの出力が供給され、報知すべき各種情報に応じて、各発光装置１３ｂ、１３ｙ、１３ｒを駆動する。
【００３７】
より具体的には、駆動回路１４は、各種センサの出力などに応答して、報知すべき情報が発生したときに、各発光装置に駆動信号を供給してこれらを駆動する。
例えば、電源オン、印刷中、省電力モード等を報知するために、青色発光装置１３ｂ、黄色発光装置１３ｙに、それぞれ駆動信号を供給して、これらを点灯する。
一方、エラーの発生、電源異常などの緊急性のある報知対象の情報が発生すると、駆動回路１４は、赤色発光装置１３ｒを構成する赤色ＬＥＤチップ３２ｒと青色ＬＥＤチップ３３ｂとに駆動信号を供給して、これらを連動して点灯させる。
【００３８】
次に、上記構成を有する点灯装置１３の、一般色覚者と色弱者との見え方について説明する。
【００３９】
人間の目の網膜には、暗いときに働く桿体と、明るいときに働く錐体の、２種類の視細胞がある。明るいときに働く錐体には、Ｌ（赤）、Ｍ（緑）、Ｓ（青）の３種類があり、それぞれが異なる波長の光を感じる役割を担っている。色認識の差異は、人間の目の網膜にある３種類の錐体細胞の特性に違いがあるために起こる。なお、暗いときに働く桿体は、色を見分けることはできないが、感度は高く、物の形を見分けることはできる。
【００４０】
３種類の錐体をすべて持っている一般色覚者はＣ型（Common Type）に分類され、日本人男性の９５％、女性の９９％以上を占める。
視覚障害を持つ色弱者の中で最も多いのが、Ｍ錐体（緑錐体）が正常に機能しないＰ型（Protanope Type）で、次に多いのがＬ錐体（赤錐体）が正常に機能しないＤ型（Deuteranope Type）であり、この二つのタイプがほとんどを占める。その他に、Ｓ錐体（青錐体）が正常に機能しないＴ型（Trianope Type）、３種類の錐体のうちの１種類しか持たない、またはすべてを持たないＡ型（Achromatic Type）があるが、該当者は極めて少ない。
【００４１】
Ｍ錐体（緑錐体）とＬ錐体（赤錐体）との特性の違いはそれほど大きくない。このため、Ｐ型及びＤ型の色弱者は、共に、赤系統から緑系統の範囲が識別しにくく、赤、オレンジ、黄、緑がほとんど同じ色、すなわち、オレンジ〜黄に見え、これらの色を区別するのが困難である。
【００４２】
赤の波長域は６１０〜７５０ｎｍであるのに対し、青の波長域は４３５〜４８０ｎｍであるため、両者の分光感度のピークの差は大きい。このため、Ｐ型及びＤ型の色弱者にとって、青色は赤色と区別して色覚しやすい色である。
【００４３】
このような背景から、図６に一覧で示すように、青色発光装置１３ｂは、その発光時には、一般色覚者と色弱者（Ｐ型及びＤ型）とは共に、全体を青と認識することができる。
【００４４】
これに対し、黄色発光装置１３ｙは、その発光時には、一般色覚者は、全体を黄色と認識できるのに対し、色弱者（Ｐ型及びＤ型）は、中央部分に暗い黄色が小さく点灯しており、周辺部は非点灯と認識する。
【００４５】
赤色発光装置１３ｒは、その発光時には、一般色覚者は、赤色の丸の外周にくすんだ青色の二重丸に見える。外周がくすんだ青色に見えるのは、赤色ＬＥＤチップ３２ｒと青色ＬＥＤチップ３３ｂとの各々の出射光が第１の導光体３４を透過する際に干渉して混色となるためである。外周に別の色（くすんだ青色）が混在するものの、赤色表示の認識にはさほど支障はない。
【００４６】
一方、色弱者（Ｐ型及びＤ型）には、暗い黄色の丸とその周りの青色のリングの二重丸に見える。これは、赤色ＬＥＤチップ３２ｒによる赤色の光が、緑色、黄色の光と同様に、小さい暗い黄色の丸に見え、その外周に青色ＬＥＤチップ３３ｂの各々の出射光が分離して見えるためである。
【００４７】
赤色発光装置１３ｒは、一般色覚者と色弱者とで、見え方は異なるものの、発光装置全体が点灯していることを認識できる。また、赤色発光装置１３ｒは、発光形状が他とは異なるため、他の発光装置の発光を確実に判別することができる。即ち、一般色覚者と色弱者とのいずれもが、その点灯を明確に認識することが可能である。したがって、色弱者が、暗い黄色の丸とその周りの青色のリングとの二重丸の表示が、赤色発光装置１３ｒが発光している場合の表示であると事前に把握していれば、オペレーションパネル１１が報知する重要な情報を見落とすことなく認識し、適切な対応を取ることが可能となる。
【００４８】
（変形例）
上記実施の形態において、赤色発光装置１３ｒを構成する赤色ＬＥＤチップ３２ｒの発光強度と４つの青色ＬＥＤチップ３３ｂの発光強度とは、一般色覚者の視覚感度上、赤色ＬＥＤチップ３２ｒの発光強度が、４つの青色ＬＥＤチップ３３ｂの発光強度よりも大きいことが望ましい。このような感覚を与えるため、例えば、４つの青色ＬＥＤチップ３３ｂの発光光量を、赤色ＬＥＤチップ３２ｒの発光光量の８０〜５０％とすることが望ましい。このような光量比とすることにより、一般色覚者に違和感を与えず、かつ、色弱者が認識しやすい点灯表示とすることができる。
【００４９】
上記実施の形態においては、色弱者の色の識別を容易にするために、赤色発光装置１３ｒの光量を、他の発光装置の光量よりも大きくしてもよい。ただし、一般色覚者がまぶしすぎて不快に感じない程度とする。また、赤色発光装置１３ｒを点滅表示させてもよい。
【００５０】
なお、青色ＬＥＤチップ３３ｂの配置については、適宜変更可能である。例えば、図７に示すように、青色ＬＥＤチップ３３ｂの一部が乱反射部４４に対向し、他は、光透過部４１に対向するように配置してもよい。また、青色ＬＥＤチップ３３ｂの配置間隔を等間隔からずらしてもよい。
【００５１】
また、図８（Ａ）に示すように、外周部に赤色ＬＥＤチップ３２ｒを配置し、中央部に青色ＬＥＤチップ３３ｂを配置するようにしてもよい。この場合、赤色発光装置１３ｒが点灯すると、一般色覚者には、図８（Ｂ−１）に示すように、中央に青の丸い領域があり、その周囲に赤い領域があるように見え、色弱者には、図８（Ｂ−２）に示すように、中央に青の丸い領域があり、その周囲に暗い黄色の領域があるように見える。このような構成でも、一般色覚者と色弱者とは共に表示を認識することができる。
【００５２】
また、図７、図８（Ａ）に示すように、青色ＬＥＤチップ３３ｂの数は４個に限らない。同様に、赤色ＬＥＤチップ３２ｒの数も１個に限らない。光量の差は生じるものの、１個以上であれば同等の効果を奏することができる。Ｐ型及びＤ型の色弱者にとって、青色については一般色覚者の色覚とほぼ差異がないため、青色ＬＥＤチップ３３ｂの数は、赤色ＬＥＤチップ３２ｒの光量とのバランスを考慮しながら調整することが可能である。
【００５３】
第１の導光体３４の構造及び材質も上記実施例に限定されない。例えば、乱反射部４４は、粗面処理でもかまわない。
【００５４】
また、第１の導光体３４は、赤色に着色した透明樹脂等を材料とするレンズを使用することにより、二重丸の中央部の黄色の丸を強調することができる。
【００５５】
また、上記で説明した第１の導光体３４は内部が空洞の中抜き形状であったが、赤色ＬＥＤチップ３２ｒ及び青色ＬＥＤチップ３３ｂを蛍光体を分散させた樹脂で封入して、そのまわりをエポキシ樹脂でモールドする等の構造としてもよい。また、例えば、図９（Ａ）、（Ｂ）に示すように、天井部が略半球状の円筒型やシャーレ型のような形状にすることができる。
【００５６】
さらに、第１の導光体３４のフロント形状は円形に限らず、三角形、四角形等の多角形のものを使用することができ、発光装置の用途に応じて任意に変更することができる。
【００５７】
黄色発光装置１３ｙの換わりに緑色発光装置を用いてもよい。この場合、緑色発光装置は、主波長が５２５ｎｍ程度の緑色の可視光を発光するＬＥＤから構成される。
また、上記実施の形態で示した各発光装置の主波長は例示であり、任意である。
【００５８】
重要な表示を行うために赤色発光装置１３ｒを使用したが、警告などを報知するために黄色発光装置を使用してもよい。この場合、例えば、黄色ＬＥＤの周囲に青色ＬＥＤをリング形状に配置して、一般色覚者には、中央に黄色、その周囲にくすんだ青色が表示されているように認識させ、色覚者には、中央に黄色、その周囲にリング形状に青色が表示されているように認識させる表示としてもよい。逆に、青色ＬＥＤの周囲に黄色ＬＥＤをリング形状に配置してもよい。
【００５９】
すなわち、この発明は、色弱者が認識困難な色（通常、赤〜緑）の発光素子と色弱者が認識しやすい色（通常、青）の発光素子とを、ケースに納めて１つの発光装置として、これらを連動して動作させることにより、１つの情報を表示する場合に広く適用可能である。
【００６０】
（実施の形態２）
上記の実施の形態１では、赤色発光装置１３ｒ内の赤色ＬＥＤチップ３２ｒと青色ＬＥＤチップ３３ｂとを同時に発光させる場合について説明した。下記の実施の形態２では、赤色ＬＥＤチップ３２ｒと青色ＬＥＤチップ３３ｂとを別々に発光させる場合等について説明する。
【００６１】
赤色発光装置１３ｒは、赤色ＬＥＤチップ３２ｒと青色ＬＥＤチップ３３ｂとへの電源供給ラインを別にし、別々に駆動することにより、各々を単独で発光させて使用することもできる。すなわち、プリント基板３１上に実装した赤色ＬＥＤチップ３２ｒのみを発光させることにより、通常の赤色単光の発光装置として使用し、青色ＬＥＤチップ３３ｂのみを発光させることにより、リング形状に発光する青色発光装置として使用することもできる。
【００６２】
このような構成とすれば、ユーザの必要に応じて発光モードを変更することが可能である。つまり、色弱者と一般色覚者とが共に利用する環境で使用する場合には赤色ＬＥＤチップ３２ｒと青色ＬＥＤチップ３３ｂとを共に連動して発光させる「同時発光モード」、一般色覚者のみが利用する環境であって、赤色の単光表示にしたい場合には「赤色単光モード」、青色の単光リング表示にしたい場合には「青色単光モード」に設定することが可能である。
【００６３】
発光モードの変更を可能とする場合には、例えば、図１０に例示する発光装置駆動回路９１を配置する。
【００６４】
図示するように、発光装置駆動回路９１は、電源部９２と、ＰＷＭ（Pulse Width Modulation）回路９３と、制御部９６と、設定受付部９５と、を備える。
【００６５】
電源部９２は、点灯装置１３を駆動（点灯）するための駆動電圧を生成する。
【００６６】
ＰＷＭ回路９３は、発光モードテーブル９４を記憶し、電源部９２から供給される電圧から、設定されている発光モードと発光モードテーブル９４に設定されているデューティとに従って、赤色ＬＥＤチップ３２ｒと青色ＬＥＤチップ３３ｂとにそれぞれ印加するＰＷＭ駆動電圧を生成する。ＰＷＭ回路９３は、赤色ＬＥＤチップ３２ｒと青色ＬＥＤチップ３３ｂとに独立して駆動電圧を印加する。
【００６７】
発光モードテーブル９４は、図１１に示すように、発光モード別に、赤色ＬＥＤチップ３２ｒと青色ＬＥＤチップ３３ｂとの駆動電圧のデューティ比を示す。
【００６８】
上述したように、色弱者にとって青色は赤色と比べて識別しやすい色であるため、同時発光モードのように、赤色ＬＥＤチップ３２ｒと青色ＬＥＤチップ３３ｂとを連動して同時に発光させる場合であっても、青色ＬＥＤチップ３３ｂの総発光光量が赤色ＬＥＤチップ３２ｒの総発光光量よりも小さい値となるように、デューティ比が設定されている。
【００６９】
一方、一般色覚者にとって、同時発光モードと赤色単光モードと青色単光モードとで、赤色発光装置１３ｒの発光光量が大きく異なると、まぶしさや暗さを感じたり、違和感を覚えるおそれがある。そこで、３つの発光のモードで、人間の視覚特性に基づいて、一般色覚者が感じる発光強度がほぼ等しくなるように、各発光モードでのデューティ比が設定される。
【００７０】
具体的には、赤色単光モードの赤色ＬＥＤチップ３２ｒの光度よりも、青色単光モードの青色ＬＥＤチップ３３ｂの光度を小さく設定している。
【００７１】
これにより、色弱者は二色の発光のうちの一方の発光だけが際立ってまぶしいと感じることはなく、光度のばらつきを抑えることができる。
【００７２】
設定受付部９５は、赤色発光装置１３ｒの発光モードとして、同時発光モード、赤色単光モード、青色単光モードのいずれかの発光モード情報をユーザの操作により受け付ける。設定受付部９５は、受け付けた発光モード情報を制御部９６に供給する。例えば、ユーザ毎に認証用のＩＣ（Integrated Circuit）カードを保有し、このＩＣカードに、いずれのモードを選定するかを示す情報を格納しておき、ＩＣカードを設定受付部９５にかざすことにより、発光モードを指示するようにしてもよい。
【００７３】
制御部９６は、設定受付部９５から発光モード情報を受け取ると、ＰＷＭ回路９３に発光モードを指示する。
【００７４】
ＰＷＭ回路９３は、制御部９６から通知された発光モードを内部メモリに記憶する。ＰＷＭ回路９３は、図示せぬエラー検出回路等がエラーを検出するようにして、赤色発光装置１３ｒを点灯する必要が生ずると、発光モードテーブル９４を参照し、記憶している発光モードに対応するデューティで、赤色ＬＥＤチップ３２ｒと青色ＬＥＤチップ３３ｂとにＰＷＭ駆動信号を印加する。
【００７５】
上記の実施の形態にかかる点灯装置によれば、色弱者は赤色表示を意味する表示であると識別することができ、一般色覚者も特段の違和感なく赤色の表示を識別することができる。このため、色弱者と一般色覚者とが共在する環境において不便を感じることなく電子機器等を利用することが可能である。
【００７６】
その他、上記実施の形態においては、発光装置の表示面の周囲の青色のリングあるいは赤色のリングは連続するリングであったが、例えば、図１２（Ａ）、（Ｂ）に示すように、断続的なリング形状の表示でもよい。なお、図１２（Ａ）は一般色覚者の見え方、図１２（Ｂ）は色弱者の見え方を示す。
【００７７】
また、図１３に示すように、赤色ＬＥＤチップ３２ｒと青色ＬＥＤチップ３３ｂとを、交互に点灯させて使用することもできる。ＰＷＭ回路９３は、赤色ＬＥＤチップ３２ｒと青色ＬＥＤチップ３３ｂとを、それぞれ、一定期間ずつ交互に駆動信号を印加して、連動して駆動する。
【００７８】
このように、赤色ＬＥＤチップ３２ｒ及び青色ＬＥＤチップ３３ｂを各々間欠点灯して、交互に点灯させることにより、同時点灯するよりもユーザの認識度を増すことができる。なお、各ＬＥＤチップ３２ｒ、３３ｂの間欠点灯は、ちらつきを防止するため、１秒間隔以上が望ましい。
【００７９】
以上、本発明の好ましい実施形態について説明したが、本発明は係る特定の実施形態に限定されるものではなく、本発明には、特許請求の範囲に記載された発明とその均等の範囲が含まれる。以下に、本願出願の当初の特許請求の範囲に記載された発明を付記する。
【００８０】
（付記１）
赤から緑の波長域のうちの第１の波長を主波長とする光を発する第１の発光素子と、
青の波長域のうちの第２の波長を主波長とする光を発する第２の発光素子と、
前記第１の発光素子の出射光及び前記第２の発光素子の出射光を拡散する第１の導光体と、
を有する第１の発光装置と、
赤から緑の波長域のうちの前記第１の波長とは異なる第３の波長を主波長とする光を発する第３の発光素子と、
前記第３の発光素子の出射光を拡散する前記第１の導光体とは異なる第２の導光体と、
を有する第２の発光装置と、
を備える、
ことを特徴とする点灯装置。
【００８１】
（付記２）
前記第１の発光素子と前記第２の発光素子とのうちの、一方の発光素子が基板の中央部に配置され、他方の発光素子が前記一方の発光素子の周囲の第１領域に配置される、
ことを特徴とする付記１に記載の点灯装置。
【００８２】
（付記３）
前記他方の発光素子が、前記一方の発光素子の周囲に前記一方の発光素子に対して等角度で複数個配置される、
ことを特徴とする付記２に記載の点灯装置。
【００８３】
（付記４）
前記第１の導光体は、前記一方の発光素子の出射光を前記第１の発光装置の表示面の中央部に導き、前記他方の発光素子の出射光を当該表示面の中央部の周囲の第２領域に導く、
ことを特徴とする付記２又は３に記載の点灯装置。
【００８４】
（付記５）
前記第１の導光体は、光透過部と、下端面が開口している筒部と、当該筒部の外径よりも大きい外径を有する底部と、を備え、
前記筒部の下端には、光を拡散するための拡散部が形成されている、
ことを特徴とする付記１乃至４のいずれか１つに記載の点灯装置。
【００８５】
（付記６）
前記第１の発光素子と前記第２の発光素子とのうちのいずれかは、その出射面が前記拡散部に対向する位置に配置されている、
ことを特徴とする付記５に記載の点灯装置。
【符号の説明】
【００８６】
１１…オペレーションパネル、１２…液晶ディスプレイ、１３…点灯装置、１３ｂ…青色発光装置、１３ｙ…黄色発光装置、１３ｒ…赤色発光装置、１４…駆動回路、２１…ＬＥＤベアチップ、２４…第２の導光体、３１…プリント基板、３２ｒ…赤色ＬＥＤチップ、３３ｂ…青色ＬＥＤチップ、３４…第１の導光体、４１…光透過部、４２…筒部、４３…底部、４４…乱反射部、９１…発光装置駆動回路、９２…電源部、９３…ＰＷＭ回路、９４…発光モードテーブル、９５…設定受付部、９６…制御部
【図１】
2014186054.tif 000003
【図２】
2014186054.tif 000004
【図３】
2014186054.tif 000005
【図４】
2014186054.tif 000006
【図５】
2014186054.tif 000007
【図６】
2014186054.tif 000008
【図７】
2014186054.tif 000009
【図８】
2014186054.tif 000010
【図９】
2014186054.tif 000011
【図１０】
2014186054.tif 000012
【図１１】
2014186054.tif 000013
【図１２】
2014186054.tif 000014
【図１３】
2014186054.tif 000015